(57)【要約】【課題】本発明は、ＳＭＰＳなどの専用回路構成を通じなくても簡素化された整流回路とＬＥＤの個数調節により交流で駆動するＬＥＤ照明を具現し、ＬＥＤモジュールを多数個の単位モジュールが単一の電源で駆動するように配列して、屋内及び外部の広告照明に適用される時、簡素化された整流構成により製作費用を減少させ、製品大きさをより小型化すると同時に、エネルギー節約を具現することができるし、いつも一定の定電流の供給によってより安定的に駆動することができる交流電源を用いたＬＥＤ照明モジュールに関するものである。  【解決手段】前記目的を果たすために、本発明は、装置の駆動源になる交流電源を外部から受ける電源部と、前記電源部から入力された電源により駆動するＬＥＤ素子を単一または多数個連結してＬＥＤセットを構成し、このＬＥＤセットが多数個連結され、少なくとも２以上の個数で連結された単位モジュールと、前記電源が入力される最初の単位モジュールと最後の単位モジュールにそれぞれ分割されるように設置され、多数の単位モジュールが閉回路を形成する時、前記電源部を通じて入力された交流電源をＬＥＤ素子を駆動させるための電源に整流する整流回路部と、を含む。【選択図】図１
2011520234.tif 000002
【特許請求の範囲】
【請求項１】
装置の駆動源になる交流電源を外部から受ける電源部１１０と、
前記電源部１１０から入力された電源により駆動するＬＥＤ素子（Ｌ）を単一または多数個連結してＬＥＤセット（Ｓ）を構成し、このＬＥＤセット（Ｓ）が多数個連結され、少なくとも２以上の個数で連結された単位モジュール１２０と、
前記電源が入力される最初の単位モジュール１２０と最後の単位モジュール１２０にそれぞれ分割されるように設置され、多数の単位モジュール１２０が閉回路を形成する時、前記電源部１１０を通じて入力された交流電源を、ＬＥＤ素子（Ｌ）を駆動させるための電源に整流する整流回路部１３０と、を含むことを特徴とする交流電源を用いたＬＥＤ照明モジュール。
【請求項２】
前記最初の単位モジュール１２０の整流回路部１３０と前記ＬＥＤセット（Ｓ）の間に設置され、整流された電源が前記ＬＥＤセット（Ｓ）に印加される時、いつも一定の量の電流を供給する定電流供給回路部１４０とをさらに含むことを特徴とする請求項１に記載の交流電源を用いたＬＥＤ照明モジュール。
【請求項３】
前記単位モジュール１２０は、整流された電源を受けてＬＥＤ素子（Ｌ）を駆動し、入力された電源に対応する多数個のＬＥＤ素子（Ｌ）と抵抗（Ｒ）が直列連結されて目的とする電圧により前記ＬＥＤ素子（Ｌ）が駆動するようにしたＬＥＤ駆動部１６０を含むことを特徴とする請求項１または２に記載の交流電源を用いたＬＥＤ照明モジュール。
【請求項４】
前記それぞれの単位モジュール１２０は、分割された前記整流回路部１３０により各単位モジュール１２０に設置されたＬＥＤ駆動部１５０を直列連結する１本の電線と、全体単位モジュール１２０に電源を供給するための２本の電線によって総３本の電線に連結構成されたことを特徴とする請求項３に記載の交流電源を用いたＬＥＤ照明モジュール。
【請求項５】
少なくとも１以上の前記単位モジュール１２０と整流回路部１３０は、単一の単位ブロック回路部（Ｂ）で構成され、前記単位ブロック回路部（Ｂ）は単一の電源部１１０に対して多数個並列で連結されて単一のＬＥＤ照明製品に適用されたことを特徴とする請求項１に記載の交流電源を用いたＬＥＤ照明モジュール。
【請求項６】
ＬＥＤ素子３１が実装されて配置された設置台１と、
前記ＬＥＤ素子３１を駆動させるために外部の交流電源を受けて各ＬＥＤ素子３１に目的とする電圧を提供するＬＥＤ駆動回路部２と、
前記設置台１には前記ＬＥＤ素子３１により放出された光が多くの角度に調節されるようにするための回転軸突起５０が突き出形成され、前記設置台１の回転軸突起５０が形成された地点と対応される設置面５に前記回転軸突起５０が挟まれて回転されるようにしたピボット輪６０が装着された角度調節部４と、を含むことを特徴とする交流電源を用いたＬＥＤ照明モジュール。
【請求項７】
前記ＬＥＤ駆動回路部２は、
前記電源部１１０から入力された電源により駆動する前記ＬＥＤ素子（Ｌ）を単一または多数個連結してＬＥＤセット（Ｓ）を構成し、このＬＥＤセット（Ｓ）が多数個連結され、少なくとも２以上の個数で連結された単位モジュール１２０と、
前記電源が入力される最初の単位モジュール１２０と最後の単位モジュール１２０にそれぞれ分割されるように設置され、多数の単位モジュール１２０が閉回路を形成する時、前記電源部１１０を通じて入力された交流電源をＬＥＤ素子（Ｌ）を駆動させるための電源に整流する整流回路部１３０と、を含むことを特徴とする請求項６に記載の交流電源を用いたＬＥＤ照明モジュール。
【請求項８】
前記ＬＥＤ駆動回路部２は、少なくとも１以上の前記単位モジュール１２０と整流回路部１３０が単一の単位ブロック回路部（Ｂ）で構成され、前記単位ブロック回路部（Ｂ）は単一の電源部１０に対して多数個並列で連結され、単一のＬＥＤ  照明製品に適用され、前記単位ブロック回路部（Ｂ）は、単一の設置台１上に設置されると、それぞれ角度調節部４と結合された多数の設置台１上に分けられて設置されたことを特徴とする請求項７に記載の交流電源を用いたＬＥＤ照明モジュール。
【請求項９】
前記ＬＥＤ素子３１の光が放出される端部に結合されてＬＥＤ素子３１から放出された光の画角を拡張させるために、内部に拡張グルーブ３ａが形成された画角拡張レンズ３をさらに含むことを特徴とする請求項６ないし８のいずれかー項に記載の交流電源を用いたＬＥＤ照明モジュール。
【請求項１０】
前記ピボット輪６０は、少なくとも回転軸突起５０まわりの半分長さより長い長さの内周まわりを持ち、その残りまわり区間が開放された弾性体に形成されて前記回転軸突起５０を弾力的に挟むように構成されたことを特徴とする請求項６に記載の交流電源を用いたＬＥＤ照明モジュール。
【請求項１１】
前記回転軸突起５０の外周面には、放射状に１  以上の掛け突起５１が形成され、これと対応結合されるピボット輪６０の内周面には、多数の掛け溝６１が形成されて前記設置台１を角度別にステッピング（ｓｔｅｐｐｉｎｇ）回転させるように構成されたことを特徴とする請求項８に記載の交流電源を用いたＬＥＤ照明モジュール。
【請求項１２】
前記ピボット輪６０は、前記回転軸突起５０を挟むために開放された端部がラウンド（ｒｏｕｎｄ）形態を維持して外側に延長形成されることを特徴とする請求項６、１０および１１のいずれかー項に記載の交流電源を用いたＬＥＤ照明モジュール。
【発明の詳細な説明】
【技術分野】
【０００１】
本発明は交流電源を用いたＬＥＤ照明モジュールに係り、より詳しくは、ＳＭＰＳなどの専用回路構成を通じなくても簡素化された整流回路とＬＥＤの個数調節により交流で駆動するＬＥＤ照明を具現し、ＬＥＤモジュールを多数個の単位モジュールが単一の電源で駆動するように配列して、屋内及び外部の広告照明に適用される時、簡素化された整流構成により製作費用を減少させ、製品大きさをより小型化すると同時に、エネルギー節約を具現することができ、常に一定の定電流の供給によってより安定に駆動することができる交流電源を用いたＬＥＤ照明モジュールに関する。  
【０００２】
また、本発明は、ＬＥＤモジュールがチャンネルサイン（ｓｉｇｎ：  看板）や室内外インテリアーなどに適用される時、適用目的や構造的な状況などを考慮して最大に拡張された角度及び最大の效率で光が放出されることができる交流電源を用いたＬＥＤ照明モジュールに関する。
【背景技術】
【０００３】
一般に、建築物の室内や外部の照明、特に屋内外広告で使われる広告照明は、代表例として蛍光燈またはハロゲンなどが特定の位置に設置されて具現される。このような蛍光燈またはハロゲン燈は、消費電力が大きく、主に単色の照明のみに使用される。このような高い消費電力及び照明の単調さを解決するため、最近では蛍光燈またはハロゲン燈に比べて、低い消費電力で多様な色相の照明を演出できるＬＥＤ照明燈が製作されて発売開始されている。
【０００４】
このような照明装置は多数のＬＥＤが実装されたＬＥＤモジュールを特定の配列でいくつか配置し、前記ＬＥＤモジュールを空間の天井や壁面などに設置して構成される。特に、前記ＬＥＤモジュールは、ＬＥＤ素子が適正電圧の直流電流により駆動する特性によって外部から入力される交流電源を直流電源に変化させるためのＡ／Ｄコンバータを伴っている。この時、前記Ａ／Ｄコンバータは交流を昇圧するためのトランスコイルを持つ変圧器回路が必要で、このような変圧器回路はＬＥＤモジュールで相当な大きさで配置されるので、これを適用した製品が大型化する問題が発生する。
【０００５】
前記のような問題点を解決するために、最近ではＬＥＤが採用した小型の装置としてＳＭＰＳ（Ｓｗｉｔｃｈｉｎｇ  Ｍｏｄｅ  Ｐｏｗｅｒ  Ｓｕｐｐｌｙ）と呼称される電源供給装置が適用される。このようなＳＭＰＳは交流電源の周波数を直流電源の高い周波数に変更するもので、既存の変圧器などに比べて小型化／軽量化されたコンバーティング回路に構成できる。
【０００６】
一方、前記のような照明装置が屋内や外部の広告照明に適用されるためには、多数のＬＥＤ素子が単位モジュールに結合された状態で、前記単位モジュールを多数連結した単位モジュールを目的とする広告照明の形態で配置するようにしてＬＥＤモジュールを具現している。
【０００７】
前記ＬＥＤモジュールは、電源及び信号の供給により特定の色を光で発光するＬＥＤと、このＬＥＤに入力される電源及び信号などを加工処理する回路が含まれた構成であることは周知である。このようなＬＥＤモジュールは、特定業社などを広告するためのサイン（ｓｉｇｎ）と室内外インテリアーの照明燈を具現する分野で活発に適用されている実情である。
【０００８】
より具体的に、前記ＬＥＤモジュールは、特定の文字や図案などで製作されたサイン構造物の内部に多数個が固定配置されてサイン構造物の内部から特定の光を発散することによって、サインがより易しく観察されることができるし、特に、サインの美観を優秀に維持させるようになる。
【発明の概要】
【発明が解決しようとする課題】
【０００９】
しかし、前記ＳＭＰＳは既存の変圧器回路などに比べて小型化／軽量化されたコンバーティング回路を具現することができる一方、概して２２０Ｖの交流電源を１２〜２４Ｖの直流電源に変換するが、かなり大きな電流容量を要求するので、  前記高い電流容量のＳＭＰＳは、ＬＥＤモジュールの製作費用を大幅に上昇させ照明用途にはその適用が少ないのが実情である。また、前記ＳＭＰＳモジュールは、ＳＭＰＳモジュールに比しより小型化製作されるＬＥＤモジュールと比較してかなりの大きさで製作されるので、ＬＥＤ照明燈の小型化／軽量化には限界がある。
【００１０】
特に、前記ＬＥＤ照明の中で、屋外広告用途に適用されるＬＥＤモジュールは、多数のＬＥＤ素子が実装された単位モジュールを多数個並列で設置するから、前記ＳＭＰＳの高い電流容量の消費が更に深刻である短所が露出する。
【００１１】
また、前記のようなＬＥＤモジュールは各単位モジュールそれぞれが独立体になるので、単位モジュールに実装された各ＬＥＤ素子を並列で連結するための２本の電源線と、各単位モジュール自体を並列で連結するための２本の電源線、すなわち４本の電源線が単位モジュールの間を連結するから、単位モジュールの増加による電線材料の浪費及びこれによる製作費用の上昇が発生する。
【００１２】
さらに、前記のような従来のＬＥＤモジュールは、電源部から印加される電圧と電流が距離に比例する特性により、前記のように特定の形態で多数が連結されるＬＥＤモジュールは、電源部に近ければ近いほど、過電流が印加されＬＥＤが過度に過熱され、これによりＬＥＤモジュールの照明が不安定な動作を呈すると同時に、ＬＥＤの使用寿命を縮めるようになる。
【００１３】
一方、前記のようにサインなどに適用されるＬＥＤモジュールは、サイン構造物の内部で常に配置が変わらず固定された状態を維持するから、ＬＥＤモジュールの適用目的、構造的な状況またはサインを観察するための角度などに対して最適の状態で対応しにくくなる。特に、前記ＬＥＤモジュールは、ＬＥＤ素子自らの画角（光放出角度）が大きくないから、光放出の效率性の向上に制限が発生する。
【００１４】
これを解決するために、ＬＥＤモジュールには角度を調節するための多くの構成が提案されているが、その構成自体は、角度を調節するための別途の関節構成を付け加えなければならないから、その大きさが大型化し小型のチャンネルサインには適用しにくいし、角度を調節するための関節部品の個数が増加し組立作業の不便さにより、作業時間の延長及び生産性を低下させる問題が発生する。さらに、前記角度調節が可能なＬＥＤモジュールは、大きく大型で部品の個数が多いから、高い製作費がかかり製品単価が高くなる問題点が発生する。
【００１５】
したがって、本発明は、前記のような従来の問題に鑑みなされたもので、本発明の一番目の目的は、多数の単位モジュールが連結されたＬＥＤモジュールを駆動させるための電源の入力がより簡素化された回路により、交流／直流のコンバーティングが遂行されることによって、ＳＭＰＳ構成が排除された構成の簡素化により製作費用を減少させ、構成をより小型化／軽量化し、また、ＬＥＤモジュールに入力される電源が常に一定量の電流が印加されるようにして、ＬＥＤモジュールの安定的な駆動及びＬＥＤ素子の使用寿命を高めたＬＥＤ照明モジュールを提供することにある。
【００１６】
本発明の二番目の目的は、ＬＥＤモジュールの構成で、ＬＥＤモジュールの適用目的、構造的な状況やＬＥＤモジュールが設置された対象物（例として、サイン構造物）を観察するための角度などを考慮して光の放出角度を自主的に調節することができる最小化された構成を具現し、その構成から光が放出する時、最大に拡張された角度及び最大の效率で光が放出されることができ、ＬＥＤ素子自体が最大に拡張された角度及び最大の效率で光が放出されるようにしたＬＥＤ照明モジュールを提供することにある。
【課題を解決するための手段】
【００１７】
前記一番目の目的を果たすため、本発明は次の構成を持つ。
【００１８】
本発明は、装置の駆動源になる交流電源を外部から受ける電源部と、前記電源部から入力された電源により駆動するＬＥＤ素子を単一または多数個連結してＬＥＤセットを構成し、このＬＥＤセットが多数個連結され、少なくとも２以上の個数で連結された単位モジュールと、前記電源が入力される最初の単位モジュールと最後の単位モジュールにそれぞれ分割されるように設置され、多数の単位モジュールが閉回路を形成する時、前記電源部を通じて入力された交流電源をＬＥＤ素子を駆動させるための電源に整流する整流回路部と、を含む。
【００１９】
ここで、前記最初の単位モジュールの整流回路部と前記ＬＥＤセットの間に設置され、整流された電源が前記ＬＥＤセットに印加される時、常に一定量の電流を供給する定電流供給回路部とをさらに含む。
【００２０】
また、前記単位モジュールは、整流された電源を受けてＬＥＤ素子を駆動し、入力された電源に対応する多数個のＬＥＤ素子と抵抗が直列連結されて目的とする電圧により前記ＬＥＤ素子が駆動するようにしたＬＥＤ駆動部を含む。特に、前記それぞれの単位モジュールは、分割された前記整流回路部により各単位モジュールに設置されたＬＥＤ駆動部を直列連結する１本の電線と、全体単位モジュールに電源を供給するための２本の電線によって総３本の電線に連結構成される。
【００２１】
さらに、少なくとも１以上の前記単位モジュールと整流回路部は、単一の単位ブロック回路部で構成され、前記単位ブロック回路部は単一の電源部に対して多数個並列で連結されて単一のＬＥＤ照明製品に適用される。
【００２２】
前記二番目の目的を果たすため、本発明は次の構成を持つ。
【００２３】
本発明は、ＬＥＤ素子が実装されて配置された設置台と、前記ＬＥＤ素子を駆動させるために外部の交流電源を受けて各ＬＥＤ素子に目的とする電圧を提供するＬＥＤ駆動回路部と、前記設置台には前記ＬＥＤ素子により放出された光が多くの角度に調節されるようにするための回転軸突起が突き出形成され、前記設置台の回転軸突起が形成された地点と対応される設置面に前記回転軸突起が挟まれて回転されるようにしたピボット輪が装着された角度調節部と、を含む。
【００２４】
ここで、前記ＬＥＤ駆動回路部は、前記電源部から入力された電源により駆動する前記ＬＥＤ素子を単一または多数個連結してＬＥＤセットを構成し、このＬＥＤセットが多数個連結され、少なくとも２以上の個数で連結された単位モジュールと、前記電源が入力される最初の単位モジュールと最後の単位モジュールにそれぞれ分割されるように設置され、多数の単位モジュールが閉回路を形成する時、前記電源部を通じて入力された交流電源をＬＥＤ素子を駆動させるための電源に整流する整流回路部とを含む。
【００２５】
特に、前記ＬＥＤ駆動回路部は、少なくとも１以上の前記単位モジュールと整流回路部が単一の単位ブロック回路部で構成され、前記単位ブロック回路部は、単一の電源部に対して多数個並列で連結され、単一のＬＥＤ  照明製品に適用され、前記単位ブロック回路部は、単一の設置台上に設置されると、それぞれ角度調節部と結合された多数の設置台上に分けられて設置される。
【００２６】
ここで、前記ＬＥＤ素子の光が放出される端部に結合されてＬＥＤ素子から放出された光の画角を拡張させるために、内部に拡張グルーブが形成された画角拡張レンズをさらに含む。
【００２７】
ここで、前記ピボット輪は、少なくとも回転軸突起まわりの半分長さより長い長さの内周まわりを持ち、その残りまわり区間が開放された弾性体に形成されて前記回転軸突起を弾力的に挟むように構成される。
【００２８】
また、前記回転軸突起の外周面には、放射状に１  以上の掛け突起が形成され、これと対応結合されるピボット輪の内周面には、多数の掛け溝が形成されて前記設置台を角度別にステッピング（ｓｔｅｐｐｉｎｇ）回転させるように構成される。
【００２９】
さらに、前記ピボット輪は、前記回転軸突起を挟むために開放された端部がラウンド（ｒｏｕｎｄ）形態を維持して外側に延長形成される。
【発明の効果】
【００３０】
前記ように構成される本発明は、屋内や外部の広告照明に適用される時、専用のＳＭＰＳが排除された簡素化された構成により、入力電源が交流からＬＥＤ素子の駆動に要求される電源に整流することによって、製作費用が減少し、製品の大きさが小型化されるので、製品の販売原価節減による販売效率促進及び小型化された大きさによる製品の適用範囲を拡張することができる。
【００３１】
特に、各単位モジュール間の連結が分割された整流回路部により、３線で構成されて電線材料の節約による経済的利益と製作が手軽に遂行され、定電流供給回路部により電源がいつも一定の量の電流に印加されるので、より安定的な駆動及びＬＥＤ素子の使用寿命を高め、更に向上した経済的利益を得ることができる。
【００３２】
また、本発明は、ＬＥＤ素子自らの画角が拡張され、光の放出角度が調節されることによって、最大の效率で光が放出され、より小型化された大きいにより小型のチャンネルサインなどにも適用が可能でその可溶性が向上し、より単純化された構成により低経費に製作されて製品の単価を低めることによって、製品の販売效率を進めることができる。
【図面の簡単な説明】
【００３３】
【図１】本発明によるＬＥＤモジュールのブロック図である。
【図２】本発明によるＬＥＤモジュールの実際回路を現わした例示図である。
【図３】本発明によるＬＥＤモジュールが単位ブロック回路で構成された回路図である。
【図４】本発明の追加実施例による分解斜視図である。
【図５】本発明の追加実施例による側面図である。
【図６】本発明の追加実施例の中で角度調節部の拡大図である。
【発明を実施するための形態】
【００３４】
前記のような本発明の実施例を添付した図面を参照して詳しく説明する。
【００３５】
図１は本発明によるＬＥＤモジュールのブロック図である、図２は本発明によるＬＥＤモジュールの実際回路を現わした例示図である。
【００３６】
図面を参照すれば、本発明によるＬＥＤ照明モジュールは、電源部１１０、単位モジュール１２０、整流回路部１３０、定電流供給回路部１４０から成り立つ。このような構成で、前記電源部１１０は装置の駆動源となる交流電源であり、この交流電源は、本実施例で韓国標準に使われる２２０Ｖの電源が基準になり、後述するＬＥＤ駆動部１５０のＬＥＤ素子（Ｌ）の個数が指定される。
【００３７】
前記単位モジュール１２０は、電源部１０から入力された電源により駆動する多数のＬＥＤセット（Ｓ）を直列連結して構成される。特に、前記単位モジュール１２０は２以上の個数が連結されて全体ＬＥＤモジュールを構成するようになる。
【００３８】
図２で、前記ＬＥＤセット（Ｓ）は、３個のＬＥＤ素子（Ｌ）が直列連結された構成であり、このようなＬＥＤセット（Ｓ）は、多数のＬＥＤセット（Ｓ）に対して目的とする電圧降下を発生する抵抗（Ｒ）と共にＬＥＤ駆動部１５０を構成する。このＬＥＤ駆動部１５０は、整流された電源を受けてＬＥＤ素子（Ｌ）を駆動し、入力された電源に対応する多数個のＬＥＤ素子（Ｌ）と抵抗（Ｒ）が直列連結されて目的とする電圧によりＬＥＤ素子（Ｌ）が駆動される構成である。
【００３９】
図面では、前記単位モジュール１２０は、前述したように、３個のＬＥＤ素子（Ｌ）になるＬＥＤセット（Ｓ）を４個配置し、この４個のＬＥＤセット（Ｓ）に対して単一の抵抗（Ｒ）を設置した構成である。このような単位モジュール１２０は、６個が連結されて全体ＬＥＤモジュールを構成する。
【００４０】
前記整流回路部１３０は、電源が入力される最初の単位モジュール１２０と最後の単位モジュール１２０にそれぞれ分割されるように設置される。すなわち、前記整流回路部１３０は、多数の単位モジュール１２０が閉回路を形成する時、ブリッジ整流回路の形態になる構成である。
【００４１】
よって、前記ブリッジ整流回路の形態の整流回路部１３０は、電源部１１０を通じて入力された交流電源をＬＥＤ素子（Ｌ）を駆動させるための直流電源に整流するようになる。図２で、整流回路部１３０は、ブリッジ整流回路の中で２個のダイオードを最初の単位モジュール１２０に設置し、残り２個のダイオードを最後の単位モジュール１２０に設置して構成する。
【００４２】
前記定電流供給回路部１４０は、最初の単位モジュール１２０の整流回路部１３０とＬＥＤセット（Ｓ）の間に設置される。
【００４３】
このような定電流供給回路部１４０は、整流された電源がＬＥＤセット（Ｓ）に印加される時、いつも一定の量の電流を供給するようになる。特に、前記定電流供給回路部１４０は、図２で、トランジスター増幅回路によって具現されたことを例示したが、ＯＰアンプまたはレギュレーター回路などの多くの回路形態で構成することができる。
【００４４】
望ましくは、前記定電流供給回路部１４０は、構成をより簡素化して具現するためにワンチップ（ｏｎｅ  ｃｈｉｐ）になった定電流ＩＣを適用する。
【００４５】
前記構成で、それぞれの単位モジュール１２０は、相互間のＬＥＤ駆動部１５０を駆動させるための電気的な連結が３本の電線により構成される。
【００４６】
すなわち、前記３本の電線構成は、分割された整流回路部１３０により各単位モジュール１２０に設置されたＬＥＤ駆動部１５０を直列連結する１本の電線と、全体単位モジュール１２０に電源を供給するための２本の電線を意味する構成である。
【００４７】
前記のように構成されたＬＥＤモジュールは、ＳＭＰＳを使わなくても、交流２２０Ｖの電源をＬＥＤ素子（Ｌ）の駆動電源に変換させるために、次のような作用状態を持つ。
【００４８】
図２に図示したように、一個当り３個のＬＥＤ素子（Ｌ）で構成された２４個のＬＥＤセット（Ｓ）は、３．１Ｖ（ＬＥＤ駆動電圧）×３×２４を演算すれば、２２３Ｖの直列連結に対する電圧降下を持つようになる。これは大韓民国標準に設定された２２０Ｖ電源のピーク値３００Ｖから２２３Ｖを減算して得られる７７Ｖを利用してＬＥＤ素子（Ｌ）の駆動電流で制御するようになることを意味する。
【００４９】
よって、前記ＬＥＤ素子（Ｌ）の駆動電流を制御することによって、各単位モジュール１２０は、２以上最大１００個位までを全体ＬＥＤモジュールで構成することができる。
【００５０】
すなわち、図２に図示したように、本実施例でのＬＥＤモジュールは、一番目の単位モジュール１２０に前記定電流供給回路部１４０と整流回路部１３０の一部を設置し、六番目の単位モジュール１２０に残り整流回路部１３０を設置し、二番目から五番目単位モジュール１２０までは、ＬＥＤ駆動部１５０のみを設置して構成される。
【００５１】
図３は本発明によるＬＥＤモジュールが単位ブロック回路で構成された回路図である。
【００５２】
図面を参照すれば、本発明によるＬＥＤモジュールは、少なくとも１個以上の単位モジュール１２０と整流回路部１３０が併合されて単一の単位ブロック回路部（Ｂ）を構成する。このような単位ブロック回路部（Ｂ）は多数個が並列に配置され、並列配置された単位ブロック回路部（Ｂ）は単一の電源部１１０に対して電源を受けて単一のＬＥＤ照明製品に具現される。
【００５３】
すなわち、前記ＬＥＤモジュールの単位ブロック回路部（Ｂ）は入力された電源に対して独自に駆動することができる閉回路であり、このような単位ブロック回路部（Ｂ）が多数個のＬＥＤ  照明製品、例として、サインの照明、室内外燈器具、インテリアー燈などに適用される場合、一部の単位ブロック回路部（Ｂ）が故障発生しても他側の単位ブロック回路部（Ｂ）は正常に動作することができる構成である。
【００５４】
特に、前記のような単位ブロック回路部（Ｂ）は、ＬＥＤ照明装置でモジュールの形態に提供される時、故障発生したモジュールのみを補修するか、交替するようにした構成で維持補修を容易に遂行できるようにする。
＜追加実施例＞
【００５５】
図４は本発明の追加実施例による分解斜視図である、図５は本発明の追加実施例による側面図である。
【００５６】
図面を参照すれば、追加実施例によるＬＥＤモジュールは、一番目の実施例の単位モジュールと整流回路部が設置されてサインなどの製品に適用されるための器具的構成を提示する。
【００５７】
前記ＬＥＤモジュールは、設置台１、ＬＥＤ駆動回路部２、画角拡張レンズ３、角度調節部４で成り立った基本構成を持つ。この時、前記角度調節部４は設置台１と設置面５とを連結しながら設置される。前記設置面５は図面でベース６の上面である。
【００５８】
ここで、前記ベース６は、プレート形態の部材として、設置面５に角度調節部４が設置された状態でチャンネルサインの内面、またはインテリアーを具現するための構造物の壁面または底面に、くぎや木ネジ、または接着剤などにより結合するように構成される。ここで、前記ベース６は、角度調節部４がチャンネルサインの内面や構造物の壁面または底面に直接設置される場合、除くこともできる構成である。
【００５９】
前記設置台１は上面にＬＥＤ素子３１が実装され配置されたプレート形態で構成される。この時、前記ＬＥＤ素子３１はＬＥＤ駆動回路部２により点滅されるか、光の明るさが調節される。
【００６０】
ここで、前記ＬＥＤ駆動回路部２は一番目の実施例の単位モジュール１２０と整流回路部１３０を意味し、前記ＬＥＤ駆動回路部２はそのもので単位ブロック回路部（Ｂ）や、多数の単位ブロック回路部（Ｂ）が並列で連結された統合構成をとることができる。
【００６１】
前記画角拡張レンズ３はＬＥＤ素子３１の光放出角度を拡張させるための構成である。このような画角拡張レンズ３は、ＬＥＤ素子３１の光放出端部に結合され、内側に拡張グルーブ（ｇｒｏｏｖｅ）３ａが  “Ｖ”  形態に形成されてＬＥＤ素子３１から放出された光が、図面上、水平以上の角度に拡張して放出されるように構成する。
【００６２】
この時、前記光が放出される角度は、少なくとも１８０゜〜２５０゜位であり、これは画角拡張レンズ３の拡張グルーブ３ａ面にＬＥＤ素子３１の光が反射することによって、拡張された角度が得られるようになる。
【００６３】
図６は本発明の追加実施例の中で角度調節部の拡大図である。
【００６４】
図面を参照すれば、前記角度調節部４は、設置台１に形成された回転軸突起５０と、ベース６の設置面５に装着されたピボット輪（ｐｉｖｏｔ  ｒｉｎｇ）６０の結合によって構成される。
【００６５】
ここで、前記回転軸突起５０は、ＬＥＤ素子３１によって放出された光が多くの角度に調節するための構成として、設置台１の一側または両側に突き出形成される。特に、前記回転軸突起５０は、設置台（１）と等しい材質で一体に射出形成することができるが、これとは別に金属などの度強い材質で製作した後、設置台１の射出成形の時、インサート射出工程により一体化して角度調節部４の強度を高めることができる。
【００６６】
前記ピボット輪６０は、設置台１の回転軸突起５０と対応される設置面５の地点に装着される。このようなピボット輪６０は、回転軸突起５０が挿入されて回転するために、回転軸突起５０の直径と対応する内周直径を維持するように形成される。
【００６７】
特に、前記ピボット輪６０は、まわりの一側が開放形成される。これは、前記ピボット輪６０が少なくとも回転軸突起５０のまわりの半分長さより長い長さの内周まわりを持ち、その残りまわり区間が開放された弾性体に形成されることを意味する。これにより前記回転軸突起５０は、ピボット輪６０の開放区間を通じて挿入させる行為に簡単に装着することができる。
【００６８】
また、前記ピボット輪６０は、回転軸突起５０を挟むために、開放された端部がラウンド（ｒｏｕｎｄ）形態を維持して外側に延長形成される。この構成はチャンネルサインなどのように狭い区間の作業過程で回転軸突起５０をピボット輪６０に挟みこむ時、前記回転軸突起５０がピボット輪６０の近接地点までに到着すれば、延長形成されたラウンド面に沿って易しく装着することができる。  
【００６９】
前記のような構成に追加して回転軸突起５０とピボット輪６０にはそれぞれ掛け突起５１と掛け溝６１が形成される。この時、前記掛け突起５１と掛け溝６１は、それぞれの形成位置を回転軸突起５０とピボット輪６０の中、選択的に形成される構成であるが、本実施例では回転軸突起５０に掛け突起５１が形成され、ピボット輪６０に掛け溝６１が形成された構成を提示する。
【００７０】
前記掛け突起５１は、回転軸突起５０の外周面には放射状１以上の個数（図面では８個）が形成され、前記掛け溝６１はピボット輪６０の内周面に多数の個数に形成される。
【００７１】
このような構成によって、前記回転軸突起５０が掛け溝６１との掛け作用により角度別にステッピング（ｓｔｅｐｐｉｎｇ）回転されることによって、前記設置台１上に配置されたＬＥＤ素子３１から放出される光は多くの角度で維持することができる。
【００７２】
以上のような構成で前記設置台１上に設置される駆動回路部２は、単位ブロック回路部（Ｂ）に併合された単位モジュール１２０と整流回路部１３０が単一の設置台１上に設置するか、または、多数の設置台１上に分けられて設置することができる。この時、前記設置台１はそれぞれ角度調節部４と結合された構成となる。
【００７３】
これは、前記単位ブロック回路部（Ｂ）が１個の設置台１に１：１対応して設置するか、単位ブロック回路部（Ｂ）が２以上個数の設置台１に１：２以上対応して設置することができる。これは、ＬＥＤ照明製品の形態及び設置要件などを勘案して選択的に構成することができる。
【符号の説明】
【００７４】
１  設置台
２  ＬＥＤ駆動回路部
３  画角拡張レンズ
４  角度調節部
５  設置面
６  ベース
３１  ＬＥＤ素子
５０  回転軸突起
６０  ピボット輪
１１０  電源部
１２０  単位モジュール
１３０  整流回路部
１４０  定電流供給回路部  
１５０    ＬＥＤ駆動部
【図１】
2011520234.tif 000003
【図２】
2011520234.tif 000004
【図３】
2011520234.tif 000005
【図４】
2011520234.tif 000006
【図５】
2011520234.tif 000007
【図６】
2011520234.tif 000008
【国際調査報告】
2011520234.tif 000009
2011520234.tif 000010
2011520234.tif 000011
2011520234.tif 000012